(57)【要約】      （修正有）【課題】何時でも何処でも素早く簡単に作れるポータブルワイヤー便座を提供する。【解決手段】超弾性合金で成形されたワイヤー便座２に、ワイヤー便座の形状に沿ってビニール袋３を装着する。ビニール袋の開け口側を円形の輪４のワイヤーの内側から入れ、ワイヤーの形状に沿ってビニールの開け口を広げて外側に折り返して安定させ、これを股間とお尻に押しあてがう。また男子小便用の便座は、楕円形の大きな輪と円形の小さな輪が一本のワイヤーで成形されており、大小二つの輪は楕円形の大きな輪の長軸の一方の端で内接し、楕円形の大きな輪は長軸の両端が長軸の中心を起点に上側に曲線を描いて曲がっており、円形の小さな輪も楕円形の大きな輪の曲がりに合わせて曲がっている。設置に場所をとらないので、極端に狭い場所やトイレの無い外出先での緊急用トイレとして使用できる。【選択図】図１
0003221663.tif 000002
【実用新案登録請求の範囲】
【請求項１】
ワイヤーの形状に沿ってビニール袋を装着することで素早く容易にトイレが出来る事を特徴とするポータブルワイヤー便座。
【請求項２】
一本のワイヤーで成形された大小二つの輪が内接し、ワイヤーの両端が接合されていることを特徴とする請求項１に記載するポータブルワイヤー便座。
【請求項３】
ワイヤーは超弾性合金で、記憶形状に力を加えて使用環境に応じた形状に変形できることを特徴とする請求項１に記載するポータブルワイヤー便座。
【考案の詳細な説明】
【技術分野】
【０００１】  本考案は、ポータブルワイヤー便座に関するものである。
【背景技術】
【０００２】  自然災害、火災などによる避難先、野外活動の現場、或は事情があって一定時間一般のトイレに行けない時等で、先ず必要なのが簡単に組み立てできる簡易トイレである。この様な非日常的な場面で使用される簡易トイレは、嵩が小さく軽量で持ち運びが容易であること、狭い空間等どの様な環境下でも利用できること、組立が簡単であること、衛生的であること、汚物処理が簡単であること等が求められる。これらの要望を満たすために、既に数多くの簡易トイレが提案されている。便座とそれを支える胴部の主要構成部材が強化段ボールで構成され（例えば、特許文献１参照）、軽量で頑丈な作りとなっている。又、広げると和式便器の大きさになる、ダンボールで成形した折り畳み可能な便器部と便器部の中に広げて汚物を収納するシートから成り、これら二つが折り畳まれてセットとなっている簡易トイレ（特許文献２参照）も提案されており、安価に製造できて簡単に携帯できる。
【先行技術文献】
【特許文献】
【０００３】
【特許文献１】実用新案登録第３１８０８７９号公報
【特許文献２】実用新案登録第３１２９０７８号公報
【考案の概要】
【考案が解決しようとする課題】
【０００４】  しかしながら、これらの提案は、狭いながらも組み立てた簡易トイレを設置する場所が必要で、組み立ても手順があり、初めての取り扱いには難しさが伴い緊急を要す場面での使用には向いていない。又、製造コストの面からも大量に消費する状況下では負担が大きすぎる。更に、組み立て式の簡易トイレは、自然災害等で一般トイレに代わるトイレとして使用されるもので、基本的に、常に携帯して突発的な排泄欲や一時的に一般のトイレが使用できない場合の代用トイレとしては想定されていない。
本考案は、便座とそれを支える胴部から成る一般的な簡易トイレの概念を捨て、最も簡単で最低限の機能で簡易トイレを構成することで前記の課題を解決するものである。
【課題を解決するための手段】
【０００５】  前記の課題を解決するために、本考案の簡易トイレは、便座に相当する部分にワイヤーを使用し、それにビニール袋を装着した状態で使用する。すなわち、突発的であっても必要時に素早く簡単にトイレが用意出来、ビニール袋を装着したワイヤー便座を片手で持って股間に通したら、前後両端をそれぞれ左右の手で持ったままワイヤー便座を前後に広げて、お尻と股間に押しあてがって固定したら準備が完了し、しゃがんだ状態、或は立った状態で使用出来る。小便であれば腰を掛けた状態で使用可能である。
【考案の効果】
【０００６】  この様に、構成が簡単で場所をとらない為、何時でも何処でも簡単に使用が可能であり、一般的な簡易トイレとして使用できる他に、極端に狭い場所やトイレのない外出先等での突発的な排泄欲、或は車が渋滞に巻き込まれた時の緊急用トイレとしても使用することが出来る。構成要素が少ない為、製造コストも安い上、嵩張らないので容易に携帯できる。【０００７】  使用に当たっては、市販されている凝固剤や脱臭剤を併用することで衛生的に使用出来、凝固剤を使用すれば使用済のビニール袋は排泄物と一緒に家庭ごみとして廃棄でき、ワイヤーは繰り返し使用できる。
【図面の簡単な説明】
【０００８】
【図１】本考案のポータブルワイヤー便座の一実施形態を示す斜視図である。
【図２】本考案のポータブルワイヤー便座の男子小便用の斜視図である。
【図３】本考案のポータブルワイヤー便座の初期状態の斜視図である。
【図４】本考案のポータブルワイヤー便座のワイヤーを広げた状態の平面図である。
【考案を実施するための形態】
【０００９】  本考案の実施例を図面に基づいて詳細に説明する。
【実施例】
【００１０】  図１は、本考案のポータブルワイヤー便座の一実施状態を示す斜視図である。初期状態のワイヤー便座２の大きな輪４にビニール袋３の開け口側を内側から入れて開け口をワイヤー便座２の大きな輪４に沿って外側に広げれば簡易トイレ１が完成する。ビニール袋３を装着したワイヤー便座２を片手で持って股間に通したら、前後両端をそれぞれ左右の手で持ったままワイヤー便座２を前後に広げて、お尻と股間に押しあてがって固定したら準備が完了する。ワイヤー便座２の材質が超弾性合金である為、前後に広げても元に戻る力が働くため、身体に密着して簡単に外れない。【００１１】  図２は、本考案のポータブルワイヤー便座の男子小便用の斜視図である。初期状態のワイヤー便座２の小さい輪５にビニール袋３の開け口側を内側から入れて開け口をワイヤー便座２の小さな輪５に沿って外側に広げれば男子小便用簡易トイレが完成する。ワイヤー便座２を前後に広げて、お尻と股間に押しあてがって固定したら使用できる。又、車を運転中でも大きい輪４をお尻の下に敷き、ビニール袋３が装着された小さい輪５を通して用を達することができる。【００１２】  図３は、本考案のポータブルワイヤー便座の初期状態の斜視図である。ワイヤー便座２の材質は超弾性合金で、内接する大きな輪４と小さな輪５で成形されおり、使用目的に応じて大小二つの輪のどちらかにビニール袋３を装着して使用する。前後を手で持って広げればお尻と股間にフィットする形状となり、手を離せば元の形状に回復する性質を持っている。【００１３】  図４は、本考案のポータブルワイヤー便座のワイヤー便座を前後に広げた状態の平面図である。初期状態のワイヤー便座２に力を加えて前後に広げた状態である。一本のワイヤーで成形された大きな輪４と小さな輪５が内接しており、ワイヤーの両端が接合されている。広げる力をはなすと瞬時に初期状態の形状に戻る。
【産業上の利用可能性】
【００１４】  本考案のポータブルワイヤー便座は、自然災害、火災などによる避難先、野外活動の現場等で一般的な簡易トイレとして使用できるが、むしろ、極端に狭い場所やトイレの無い外出先での突発的な排泄欲、或は車が渋滞に巻き込まれた時の緊急用トイレとしての使用価値が見出せる。構成要素が少ない為、製造コストも安い上、嵩張らないので何時も携帯できる。又、簡易トイレとして市販されているビニール袋、凝固剤と併用することで衛生的に処理することが出来るので益々利便性が高まり、多くのニーズが期待できる。
【符号の説明】
【００１５】１  簡易トイレ
２  ワイヤー便座
３  ビニール袋
４  大きい輪
５  小さい輪
【図１】
0003221663.tif 000003
【図２】
0003221663.tif 000004
【図３】
0003221663.tif 000005
【図４】
0003221663.tif 000006
【手続補正書】
【提出日】平成31年3月18日(2019.3.18)
【手続補正１】
【補正対象書類名】実用新案登録請求の範囲
【補正対象項目名】全文
【補正方法】変更
【補正の内容】
【実用新案登録請求の範囲】
【請求項１】
極端に狭い場所、トイレのない外出先、或は車が渋滞に巻き込まれた時等の突発的な排泄欲の際、素早く容易に排泄物収納ビニール袋が装着でき、スムーズに股間とお尻にあてがうことが出来ることを特徴とするワイヤーで成形された緊急用トイレの便座であって、ビニール袋の開け口側を円形の輪のワイヤーの内側から入れ、ワイヤーの形状に沿ってビニールの開け口を広げて外側に折り返して安定させ、これを股間とお尻に押しあてがって排泄するポータブルワイヤー便座。
【請求項２】
便座は、楕円形の大きな輪と円形の小さな輪が一本のワイヤーで成形されており、大小二つの輪は楕円形の大きな輪の長軸の一方の端で内接し、楕円形の大きな輪は長軸の両端が長軸の中心を起点に上側に曲線を描いて曲がっており、円形の小さな輪も楕円形の大きな輪の曲がりに合わせて曲がっていることを特徴とする請求項１に記載するポータブルワイヤー便座。
【請求項３】
ワイヤーの材質は超弾性合金で、排泄物収納ビニール袋を装着したら、楕円形の大きな輪の長軸の両端を両手で持って前後に広げて股間とお尻に押しあてがった後、両手の力を抜いても元に戻る力が働く為、便座が身体に密着して簡単に外れないことを特徴とする請求項２に記載するポータブルワイヤー便座。